【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
暖房、換気および空調（ＨＶＡＣ）システムのエネルギ消費を最適化する方法であって、
元の温度設定点のスケジュールを識別することを含み、前記元の温度設定点のスケジュールはある時間期間に亘ってある数の温度設定点を規定し、前記方法はさらに、
前記元のスケジュールで始めて、全体的な最適化時間期間と比較して、各々が相対的に短い周期的な時間間隔の連なりの各々毎に、前記元のスケジュールの漸増的に調整されたバージョンを生成することを含み、漸増的変更は、周期的な時間間隔のうちの１つ中において、前記周期的な時間間隔のうちの前の１つと比較して、より少ないエネルギ使用を引起すことに対して向けられ、前記方法はさらに、
前記周期的な時間間隔の連なりの各々毎に、前記周期的な時間間隔に対して生成された前記元のスケジュールの前記漸増的に調整されたバージョンに従って前記ＨＶＡＣシステムを制御することを含む、暖房、換気および空調（ＨＶＡＣ）システムのエネルギ消費を最適化する方法。
【請求項２】
前記元の温度設定点のスケジュール内において温度設定点の部分集合を識別するステップを含み、前記温度設定点の部分集合は、前記元の温度設定点のスケジュールが規定される時間期間のサブ間隔に対応し、前記元のスケジュールの漸増的に調整されたバージョンを生成することは、前記温度設定点の部分集合を前記部分集合における温度設定点以外の温度設定点とは異なるように調整することを含む、請求項１に記載の方法。
【請求項３】
前記ＨＶＡＣシステムと関連付けられる構造物がさまざまな時間で占有される確率を示す占有確率プロファイルを生成することと、
前記占有確率プロファイルに基いて、前記サブ間隔の時間境界を判断することと、をさらに含む、請求項２に記載の方法。
【請求項４】
前記周期的な時間間隔のうちの１つ中において、前記周期的な時間間隔に対して生成された前記元のスケジュールの前記漸増的に調整されたバージョンの対応する温度設定点と異なる現在の温度設定点のユーザ選択を受取ることと、
前記周期的な時間間隔の前記１つ内において少なくともある時間期間の間、前記元のスケジュールの前記漸増的に調整されたバージョンの前記対応する温度設定点ではなく、前記ユーザ選択された現在の温度設定点に従って、前記ＨＶＡＣシステムを制御することと、をさらに含む、請求項１から３のいずれか１項に記載の方法。
【請求項５】
前記ＨＶＡＣシステムは、前記ユーザ選択を受取る時間から、前記周期的な時間間隔の前記１つに対して生成された前記設定点スケジュールの前記漸増的に調整されたバージョンのうちの後の温度設定点が到達される時間まで、前記現在の温度設定点の前記ユーザ選択に従って、制御される、請求項４に記載の方法。
【請求項６】
前記周期的な時間間隔の１つについて、前記周期的な時間間隔の前記１つに対して生成された前記元のスケジュールの前記漸増的に調整されたバージョンの温度設定点に対するユーザ修正を受取ることと、
後の周期的な時間間隔に対して生成された前記元のスケジュールの漸増的に調整されたバージョンに、前記ユーザ修正を組込むことと、
前記後の周期的な時間間隔に対して、前記ユーザ修正を組込む前記元のスケジュールの前記漸増的に調整されたバージョンに基いて、前記ＨＶＡＣシステムを制御することと、をさらに含む、請求項１から５のいずれか１項に記載の方法。
【請求項７】
前記周期的な時間間隔の前記１つに続く各周期的な時間間隔に対して、前記元のスケジュールの前記漸増的に調整されたバージョンは、前記元の温度設定点のスケジュールによって規定される通りの温度設定点ではなく、前記ユーザ修正によって規定される通りの温度設定点を漸増的に調整することにより生成される、請求項６に記載の方法。
【請求項８】
スマートホーム環境においてＨＶＡＣシステムの動作を制御するためのインテリジェントなネットワーク接続されたサーモスタットであって、前記サーモスタットは、
前記ＨＶＡＣシステムの１つ以上の要素を作動させるよう動作可能なＨＶＡＣ制御回路系と、
前記スマートホーム環境の特性を測定するための１つ以上のセンサと、
前記ＨＶＡＣ制御回路系および前記１つ以上のセンサに結合され、前記サーモスタットに、
元の温度設定点のスケジュールを識別することと、
前記元のスケジュールで始めて、全体的な最適化時間期間と比較して、各々が相対的に短い周期的な時間間隔の連なりの各々毎に、前記元のスケジュールの漸増的に調整されたバージョンを生成することとを含み、漸増的変更は、周期的な時間間隔のうちの１つ中において、前記周期的な時間間隔のうちの前の１つと比較して、より少ないエネルギ使用を引起すことに対して向けられ、さらに、
前記周期的な時間間隔の連なりの各々毎に、前記周期的な時間間隔に対して生成された前記元のスケジュールの前記漸増的に調整されたバージョンに従って前記ＨＶＡＣシステムを制御することを含む動作を実行させるよう動作可能であるプロセッサと、を含む、スマートホーム環境においてＨＶＡＣシステムの動作を制御するためのインテリジェントなネットワーク接続されたサーモスタット。
【請求項９】
前記元のスケジュールの漸増的に調整されたバージョンを生成することは、各周期的な時間間隔に対して、前記元のスケジュールの少なくとも１つの温度設定点の温度を、前記ＨＶＡＣシステムによるエネルギ消費を低減する方向にオフセットすることを含む、請求項８に記載のサーモスタット。
【請求項１０】
前記プロセッサは、さらに、前記サーモスタットに、
前記周期的な時間間隔の連なりの１つ中において、現在の温度設定点に対する、または前記元のスケジュールの前記漸増的に調整されたバージョンの温度設定点に対するユーザ修正を受取ることを含む動作を実行させるよう動作可能である、請求項９に記載のサーモスタット。
【請求項１１】
現在の温度設定点に対するユーザ修正を受取ることに応答して、後の周期的な時間間隔に対する前記オフセットは少なくとも一時的に低減される、請求項１０に記載のサーモスタット。
【請求項１２】
前記元のスケジュールの前記漸増的に調整されたバージョンの温度設定点に対するユーザ修正を受取ることに応答して、後の周期的な時間間隔に対する前記オフセットは、現在の温度設定点に対するユーザ修正から結果として生じる低減よりも大きな量だけ少なくとも一時的に低減される、請求項１１に記載のサーモスタット。
【請求項１３】
現在の温度設定点に対する、または前記元のスケジュールの前記漸増的に調整されたバージョンの温度設定点に対するユーザ修正を受取ることに応答して、後の周期的な時間間隔に対する前記オフセットは、時間に亘って減少するある量だけ低減される、請求項１０に記載のサーモスタット。
【請求項１４】
コンピュータプロセッサによって実行されると前記コンピュータプロセッサに動作を実行させる命令を含むコンピュータ読取可能なプログラムであって、前記動作は、
元の温度設定点のスケジュールを識別することを含み、前記元の温度設定点のスケジュールはある時間期間に亘ってある数の温度設定点を規定し、前記動作はさらに、
前記元のスケジュールで始めて、全体的な最適化時間期間と比較して、各々が相対的に短い周期的な時間間隔の連なりの各々毎に、前記元のスケジュールの漸増的に調整されたバージョンを生成することを含み、漸増的変更は、周期的な時間間隔のうちの１つ中において、前記周期的な時間間隔のうちの前の１つと比較して、より少ないエネルギ使用を引起すことに対して向けられ、前記動作はさらに、
前記周期的な時間間隔の連なりの各々毎に、前記周期的な時間間隔に対して生成された前記元のスケジュールの前記漸増的に調整されたバージョンに従ってＨＶＡＣシステムを制御することを含む、プログラム。
【請求項１５】
前記コンピュータプロセッサによって実行されると前記コンピュータプロセッサにさらなる動作を実行させる命令をさらに含み、前記さらなる動作は、
前記元の温度設定点のスケジュール内において温度設定点の第１の部分集合を識別することを含み、前記温度設定点の第１の部分集合は、前記元の温度設定点のスケジュールが規定される時間期間の第１のサブ間隔に対応し、前記第１のサブ間隔は、前記ＨＶＡＣシステムと関連付けられる構造物が占有されていそうな時間期間に対応し、前記さらなる動作はさらに、
前記元の温度設定点のスケジュール内において温度設定点の第２の部分集合を識別することを含み、前記温度設定点の第２の部分集合は、前記元の温度設定点のスケジュールが規定される前記時間期間の第２のサブ間隔に対応し、前記第２のサブ間隔は、前記ＨＶＡＣシステムと関連付けられる構造物が占有されていなさそうな時間期間に対応し、
前記元のスケジュールの漸増的に調整されたバージョンを生成することは前記温度設定点の第１の部分集合を前記温度設定点の第２の部分集合とは異なるように調整することを含み、前記第２の部分集合は前記第１の部分集合に対してなされる調整から結果として生じる量よりも大きな量だけエネルギ使用を低減するように調整される、請求項１４に記載のプログラム。
【請求項１６】
前記コンピュータプロセッサによって実行されると前記コンピュータプロセッサにさらなる動作を実行させる命令をさらに含み、前記さらなる動作は、
前記元の温度設定点のスケジュール内において温度設定点の第１の部分集合を識別することを含み、前記温度設定点の第１の部分集合は、前記元の温度設定点のスケジュールが規定される時間期間の第１のサブ間隔に対応し、
前記周期的な時間間隔の連なりの第１の集合について、前記元のスケジュールの漸増的に調整されたバージョンを生成することは、前記温度設定点の第１の部分集合の温度設定点を修正することを含む、請求項１４または１５に記載のプログラム。
【請求項１７】
前記コンピュータプロセッサによって実行されると前記コンピュータプロセッサにさらなる動作を実行させる命令をさらに含み、前記さらなる動作は、
前記元の温度設定点のスケジュール内において温度設定点の第２の部分集合を識別することを含み、前記温度設定点の第２の部分集合は、前記元の温度設定点のスケジュールが規定される前記時間期間の第２のサブ間隔に対応し、
前記周期的な時間間隔の第１の集合に続く前記周期的な時間間隔の連なりの第２の集合について、前記元のスケジュールの漸増的に調整されたバージョンを生成することは、前記温度設定点の第１の部分集合の温度設定点を同時に修正しながら、前記温度設定点の第２の部分集合の温度設定点を修正することを含む、請求項１６に記載のプログラム。
【請求項１８】
前記コンピュータプロセッサによって実行されると前記コンピュータプロセッサにさらなる動作を実行させる命令をさらに含み、前記さらなる動作は、
前記元の温度設定点のスケジュール内において温度設定点の第３の部分集合を識別することを含み、前記温度設定点の第３の部分集合は、前記元の温度設定点のスケジュールが規定される前記時間期間の第３のサブ間隔に対応し、
前記周期的な時間間隔の第２の集合に続く前記周期的な時間間隔の連なりの第３の集合について、前記元のスケジュールの漸増的に調整されたバージョンを生成することは、前記温度設定点の第１の部分集合の温度設定点および前記温度設定点の第２の部分集合の温度設定点を同時に修正しながら、前記温度設定点の第３の部分集合の温度設定点を修正することを含む、請求項１７に記載のプログラム。
【請求項１９】
修正される前記第１の部分集合、前記第２の部分集合および前記第３の部分集合の温度設定点は、すべて、同じ変化率で修正される、請求項１８に記載のプログラム。
【請求項２０】
修正される前記第１の部分集合、前記第２の部分集合および前記第３の部分集合のうちの少なくとも１つの温度設定点は、ユーザ入力に応答して異なる変化率で修正される、請求項１８に記載のプログラム。